(57)【特許請求の範囲】
【請求項１】
車両のラゲッジボードを覆うラゲッジボードカバーであって、
前記ラゲッジボードが収納され、この収納されたラゲッジボードを覆うカバー本体を備え、
前記カバー本体は、前記ラゲッジボードを出し入れするための開口部を裏面側に有する
ことを特徴とするラゲッジボードカバー。
【請求項２】
前記カバー本体は、前記ラゲッジボードの全体を覆う
ことを特徴とする請求項１記載のラゲッジボードカバー。
【請求項３】
前記カバー本体は、袋状に形成されている
ことを特徴とする請求項１又は２記載のラゲッジボードカバー。
【請求項４】
前記カバー本体の前記開口部を閉状態に維持する維持手段を備える
ことを特徴とする請求項１ないし３のいずれか一記載のラゲッジボードカバー。
【請求項５】
前記カバー本体は、少なくとも表面側に意匠面を有する
ことを特徴とする請求項１ないし４のいずれか一記載のラゲッジボードカバー。
【発明の詳細な説明】
【技術分野】
【０００１】
本発明は、車両のラゲッジボードを覆うラゲッジボードカバーに関するものである。
【背景技術】
【０００２】
従来、例えば下記の特許文献１に記載されたラゲッジマット（自動車用ラゲッジルームマット）が知られている。このラゲッジマットは、車両である自動車の後部に設けられた荷物室（後部座席の後方スペース）の床部を構成する平板状のラゲッジボードの上面上に載置され、これにより当該ラゲッジボードの上面を覆って保護する。
【先行技術文献】
【特許文献】
【０００３】
【特許文献１】意匠登録第１５０２７２７号公報
【発明の概要】
【発明が解決しようとする課題】
【０００４】
しかしながら、ラゲッジマットをラゲッジボードの上面上に単に載置しただけでは、例えば重い荷物等を荷物室に入れようとした場合には、ラゲッジマットが位置ずれし易い。
【０００５】
本発明は、このような点に鑑みなされたもので、ラゲッジボードを適切に覆うことができるラゲッジボードカバーを提供することを目的とする。
【課題を解決するための手段】
【０００６】
本発明に係るラゲッジボードカバーは、車両のラゲッジボードを覆うラゲッジボードカバーであって、前記ラゲッジボードが収納され、この収納されたラゲッジボードを覆うカバー本体を備えるものである。
【発明の効果】
【０００７】
本発明によれば、ラゲッジボードを適切に覆うことができる。
【図面の簡単な説明】
【０００８】
【図１】本発明の一実施の形態に係るラゲッジボードカバーとこれを被せるラゲッジボードを示す裏面側斜視図である。
【図２】同上ラゲッジボードカバーの表面図である。
【図３】同上ラゲッジボードカバーの裏面図である。
【図４】同上ラゲッジボードカバーの取付方法を説明するための図である。
【発明を実施するための形態】
【０００９】
本発明の一実施の形態について図１ないし図４を参照して説明する。
【００１０】
図中において、１は車両用のラゲッジボードカバーで、このラゲッジボードカバー１は、車両である自動車に用いられる車両用のラゲッジボード２を覆うものである。
【００１１】
車両用のラゲッジボード（ラゲージボード）２は、自動車の後部の荷物室、すなわち例えば後部座席３の後方に位置する荷物室４の床部を構成する平板状の板状部材である。
【００１２】
このラゲッジボード２は、自動車の車体の後部に設けられたボード取付部５に対して着脱可能（嵌脱可能）なもので、当該ボード取付部５に嵌合して取り付けられることにより、物品収納室（スペアタイヤや工具等の物品を収納するためのスペース）６の上面開口部７を閉鎖する。つまり、ラゲッジボード２は、車体の後部下側の物品収納室６の上蓋として機能する。
【００１３】
また、ラゲッジボード２には、左右方向に長手方向を有する取手用の孔部１０が設けられている。このため、その孔部１０を利用してラゲッジボード２を車体のボード取付部５から容易に取り外すことが可能である。
【００１４】
車両用のラゲッジボードカバー１は、平板状のラゲッジボード２が内側に出し入れ可能に収納され、この収納されたラゲッジボード２の全体（略全体を含む）を覆う袋状のカバー本体１１と、このカバー本体１１に設けられ、当該カバー本体１１の開口部（ラゲッジボード出入用の開口部）１３を閉状態に維持する維持手段である面ファスナー１２とを備えている。
【００１５】
カバー本体１１は、例えば可撓性を有するシート状の部材（更に例えば伸縮性やクッション性等があってもよい）からなるもので、当該カバー本体１１の内側空間部１４に対してラゲッジボード２を出し入れするための開口部１３を裏面側に有する袋状に形成されている。
【００１６】
具体的には、可撓性を有した柔軟な変形可能なカバー本体１１は、板状のラゲッジボード２に対応する平坦な袋状のもので、そのラゲッジボード２と同じ大きさ（略同じ大きさを含む）に形成されており、ラゲッジボード２の裏面と対向する裏面側に長手状の開口部１３が設けられている。
【００１７】
つまり、カバー本体１１は、ラゲッジボード２の全体を覆う平坦な袋状の本体部１５と、この本体部１５の裏面側に設けられた左右方向長手状をなす開閉可能な開口部１３と、本体部１５の内側（内部）に設けられ、開状態の開口部１３と連通する内側空間部１４とを有している。
【００１８】
ここで、カバー本体１１の本体部（本体部材）１５は、シート状の表面側部分２１と、これと対向するシート状の裏面側部分２２とを有し、この裏面側部分２２の前端近傍に左右方向長手状の開口部１３がカバー本体１１の全幅にわたって形成されている。なお、表面側部分２１及び裏面側部分２２は、それぞれの周端部（４つの辺部）が全長にわたって互いに接続されて本体部１５が袋状となっている。
【００１９】
そして、表面側部分２１は、例えば図２に示すように、木目調の意匠（デザイン）が施された意匠面２３を表面に有している。つまり、カバー本体１１は、車体後部の荷物室４に露出する側である表面側に意匠面２３を有している。なお、表面側部分２１は、例えばカーペット状のものでもよく、クッション性を有していてもよい。
【００２０】
また、裏面側部分２２は、それぞれシート状に形成された前側の第１裏面部２４と後側の第２裏面部２５とで構成され、これら第１裏面部２４と第２裏面部２５との間に長手状の開口部１３が形成されている。この開口部１３の左右方向長さ寸法は、ラゲッジボード２の左右方向長さ寸法と等しい。さらに、第１裏面部２４の左右方向中央部には、ラゲッジボード２の孔部１０と対向（連通）する凹状の切欠部２６が開口部１３に連続して設けられている。
【００２１】
また一方、カバー本体１１は、本体部１５の前端から前方に突出する突出部（例えば摘まみ部）１６を有している。この突出部１６は、例えば帯状部材１７によって環状に形成されている。
【００２２】
面ファスナー１２は、カバー本体１１の本体部１５の裏面側部分２２の第１裏面部２４の後端部（第２裏面部との対向端部）に設けられた複数の一方側係合部材３１と、カバー本体１１の本体部１５の裏面側部分２２の第２裏面部２５の前端部（第１裏面部との対向端部）に設けられ、一方側係合部材３１と係脱可能に係合する複数の他方側係合部材３２とを有している。各係合部材３１，３２は、左右方向に長手方向を有する帯状に形成されている。
【００２３】
一方側係合部材３１及び他方側係合部材３２のうちいずれか一方、すなわち例えば一方側係合部材３１は、フック状に起毛された雄係合面部（雄面ファスナー部）３３を有し、かつ、一方側係合部材３１及び他方側係合部材３２のうちいずれか他方、すなわち例えば他方側係合部材３２は、ループ状に密集して起毛された雌係合面部（雌面ファスナー部）３４を有している。
【００２４】
そして、カバー本体１１の開口部１３は、雄係合面部３３と雌係合面部３４との係合によって閉鎖され、かつ、その係合の解除によって開口する。つまり、雄係合面部３３と雌係合面部３４とが互いに係合することにより、カバー本体１１の開口部１３の閉状態が維持される。なお、例えば雄雌が逆で一方側係合部材３１が雌係合面部３４を有しかつ他方側係合部材３２が雄係合面部３３を有した構成等でもよい。
【００２５】
次に、ラゲッジボードカバー１の取付方法（使用方法）について説明する。
【００２６】
まず、図４（ａ）に示すように、自動車の後部座席３の後方の荷物室４の床部となっているラゲッジボード２を車体のボード取付部５から取り外す。
【００２７】
次いで、図４（ｂ）に示すように、面ファスナー１２の両係合部材３１，３２の係合を解除して、ラゲッジボードカバー１のカバー本体１１の裏側の開口部１３を開口させる。
【００２８】
続いて、図４（ｃ）及び（ｄ）に示すように、ラゲッジボード２を開状態の開口部１３からカバー本体１１の本体部１５内に挿入して内側空間部１４に収納する。つまり、ラゲッジボード２にラゲッジボードカバー１を被せる。
【００２９】
そして、図４（ｅ）に示すように、カバー本体１１の裏面側部分２２の第１裏面部２４でラゲッジボード２の裏面の前端側を覆い、その後、面ファスナー１２の両係合部材３１，３２を互いに係合させて開口部１３を閉鎖する。この開口部１３の閉状態は、面ファスナー１２によって維持される。こうして、ラゲッジボードカバー１がラゲッジボード２に対して略密着した状態となって、ラゲッジボード２の全体が袋形状のラゲッジボードカバー１で覆われる。
【００３０】
次いで、図４（ｆ）に示すように、木目調の意匠面２３が上を向くように、ラゲッジボード２を収納したラゲッジボードカバー１を１８０度反転させる。
【００３１】
続いて、図４（ｇ）及び図４（ｈ）に示すように、ラゲッジボードカバー１を被せたラゲッジボード２をもとのボード取付部５に嵌め込むようにして取り付ける。
【００３２】
つまり、カバー本体１１の意匠面２３を上にしてボード取付部５の形状に合わせて当該ラゲッジボード２を復元して荷物室４の床部に戻す。言い換えると、カバー本体１１は、ラゲッジボード２を収納した状態で、ラゲッジボード取付部であるボード取付部（ボード取付位置）５に取り付けられて設置（装着）される。なお、例えば物品収納室６内の物品を使うために、当該ラゲッジボード２をボード取付部５から取り外す場合には、荷物室４に露出したカバー本体１１の突出部１６を利用することが可能である。
【００３３】
そして、ラゲッジボードカバー１によれば、従来の置くだけのラゲッジマットとは異なり、使用時に位置ずれすることがなく、ラゲッジボード２を適切に覆うことができ、よって、ラゲッジボード２を傷や汚れ等から適切に保護できる。
【００３４】
また、ラゲッジボードカバー１のカバー本体１１は、ラゲッジボード２の全体を覆うため、ラゲッジボード２の全体を適切に保護できる。
【００３５】
さらに、カバー本体１１の裏面側の開口部１３を閉状態に維持する維持手段である面ファスナー１２を備えるため、開口部１３が不用意に開口するのを適切に防止できる。
【００３６】
また、カバー本体１１は、少なくとも表面側にデザイン面である意匠面２３を有するため、自動車の車内の意匠性の向上を図ることができる。
【００３７】
なお、ラゲッジボードカバーのカバー本体は、ラゲッジボードの全体（全部）を覆うものには限定されず、例えばラゲッジボードの一部（少なくとも表面側部分を含む一部）のみを覆うものでもよい。具体的には、例えばカバー本体は、ラゲッジボードを出し入れするための常時開口した比較的大きな開口部を裏面側に有する袋状に形成された構成等でもよい。
【００３８】
また、カバー本体の材質（素材）は任意であり、例えば織物、編み物、不織布等の布を用いたものや、天然皮革、合成皮革等の皮革を用いたもの等でもよく、また、ゴムや樹脂等の弾性部材で構成してもよい。
【００３９】
さらに、カバー本体の意匠面は、木目調の意匠が施されたものには限定されず、意匠は任意であり、例えばカーボン調、石目調等の模様や色彩を付したものでもよい。例えば車内のデザインに応じた統一性のある意匠を施してもよく、また、意匠面をカバー本体の表裏面に設けてリバーシブルな構成とすることも可能である。
【００４０】
また、カバー本体の開口部を閉状態に維持する維持手段は、面ファスナーには限定されず、例えばスライドファスナーでもよく、ボタンやスナップボタン等でもよい。
【００４１】
さらに、ラゲッジボードを挿入可能な開口部は、カバー本体の裏面側に設けることが好ましいが、その位置には限定されず、例えば表面側に設けてもよく、周端部に設けてもよい。
【符号の説明】
【００４２】
１      ラゲッジボードカバー
２      ラゲッジボード
１１    カバー本体
１２    維持手段である面ファスナー
１３    開口部
２３    意匠面
【要約】
【課題】ラゲッジボードを適切に覆うことができるラゲッジボードカバーを提供する。
【解決手段】ラゲッジボードカバー１は、ラゲッジボード２を内側に収納してその全体を覆う袋状のカバー本体１１と、このカバー本体１１の開口部１３を閉状態に維持する面ファスナー１２とを備える。カバー本体１１は、ラゲッジボード２を出し入れするための開口部１３を裏面側に有する。カバー本体１１は、木目調の意匠を付した意匠面を表面側に有する。
【選択図】図１【図１】
0006935115.tif 000002
【図２】
0006935115.tif 000003
【図３】
0006935115.tif 000004
【図４】
0006935115.tif 000005